(57)【特許請求の範囲】
【請求項１】
車両のライセンスプレートを保持するフレーム本体を備えたライセンスプレート用フレームであって、
前記フレーム本体は、前記ライセンスプレートの周縁を囲む枠体と、前記車両に取り付け可能なバックプレートとを備え、
前記枠体及び前記バックプレート間に前記ライセンスプレートが配置され、前記バックプレートの下部中央部分には撮像手段を支持したブラケットが設けられており、
前記ブラケットには、
該ブラケット及び前記ライセンスプレート間に配置され、前記ライセンスプレートの背面に当接する緩衝部材が設けられている
ことを特徴とするライセンスプレート用フレーム。
【請求項２】
前記ブラケットは、
第１の挟着部半体と、該第１の挟着部半体と対向して配置される第２の挟着部半体とを備え、前記第１の挟着部半体及び前記第２の挟着部半体により前記バックプレートに挟着する
ことを特徴とする請求項１記載のライセンスプレート用フレーム。
【請求項３】
前記ブラケットは、前記撮像手段の配線を固定する固定手段を備える
ことを特徴とする請求項１又は２記載のライセンスプレート用フレーム。
【請求項４】
前記バックプレートには、前記ライセンスプレートから離れる側に凹んで下縁まで延びた凹部が形成されており、前記ブラケットが前記凹部から挿入されて前記ライセンスプレート及び前記バックプレート間に配置される
ことを特徴とする請求項１〜３のうちいずれか１記載のライセンスプレート用フレーム。
【請求項５】
前記撮像手段は前記枠体の下方に配置され、前記ブラケットは前記撮像手段の撮像範囲下方に映り込む突出部を備える
ことを特徴とする請求項１〜４のうちいずれか１項記載のライセンスプレート用フレーム。
【発明の詳細な説明】
【技術分野】
【０００１】
本発明はライセンスプレート用フレームに関し、例えば車両を識別するためのナンバープレートを車両に取り付けるためのライセンスプレート用フレームに適用して好適なものである。
【背景技術】
【０００２】
近年、車両のフロントグリル内側にＣＭＯＳ（Complementary Metal Oxide Semiconductor）カメラを取り付け、当該ＣＭＯＳカメラから得られた映像を車内のモニタに表示させ、当該映像を介して運転者に対し車両の前方向や前左右方向を認識させる車両用映像装置が開発されている。
【０００３】
しかしながら、フロントグリルにＣＭＯＳカメラを取り付ける場合には、車種毎にフロントグリルの形状が異なるため、フロントグリルの形状に合わせた専用の取り付けキットが個別に必要となり、その分だけコストが高くなるという問題があった。
【０００４】
また、この種の車両用映像装置では、フロントグリルの位置や、フロントグリルの内部構造に応じてＣＭＯＳカメラの取付位置が異なるため、ＣＭＯＳカメラの取付位置に応じてその映像も異なり、当該映像から得られる車両前方の距離感が車種毎に異なってしまうという問題があった。
【０００５】
さらに、その他の問題として、フロントグリルにＣＭＯＳカメラを取り付ける際には、フロントグリルや車体自体に、ＣＭＯＳカメラの取付用孔を穿設するといった各種加工作業が必要となるため、取付作業に時間がかかるという問題や、何らかの理由でＣＭＯＳカメラを交換する場合には、強固に車両に取り付けられたフロントグリルを外さなければならず、メンテナンス性が悪いという問題もあった。
【０００６】
そこで、このような問題点を解決するために、ナンバープレートと、車両のフロントバンパー中央に配置されたナンバープレートを取り付けるための取付面との間に、ＣＭＯＳカメラを支持したステーを介在させ、取り付けボルトによって、これらステー及びナンバープレートを取付面に取り付けるようにした車両周辺監視装置が考えられている（例えば、特許文献１参照）。
【０００７】
この車両周辺監視装置は、一般的にフロントバンパーの中央に予め形成された取付面を利用しており、当該取付面にＣＭＯＳカメラを取り付けることで、車種にかかわらずＣＭＯＳカメラを一定の位置に配置させることができ、かつ車両自体を加工せずにＣＭＯＳカメラを取り付けることができ、上述した各種問題点を解決し得るようになされている。
【特許文献１】特開２００７−５０７１２号公報
【発明の開示】
【発明が解決しようとする課題】
【０００８】
しかしながら、かかる車両周辺監視装置では、ナンパープレートを車体に取り付ける取り付けボルトを利用して、ナンバープレートと車両の取付面との間に、ＣＭＯＳカメラを設けたステーを取り付けていることから、ＣＭＯＳカメラを支持したステーの取り付け作業や、取り外し作業を行う際、ナンバープレートを取り外す作業が必ず必要になり、このようなナンバープレートの取り外し作業によって、作業者に加わる作業負担が非常に大きいものとなっていた。
【０００９】
本発明は、このような状況を鑑みてなされたもので、作業者の作業負担を従来よりも軽減し得るライセンスプレート用フレームを提供することを目的とする。
【課題を解決するための手段】
【００１０】
かかる課題を解決するため本発明において、請求項１記載の発明では、車両のライセンスプレートを保持するフレーム本体を備えたライセンスプレート用フレームであって、前記フレーム本体は、前記ライセンスプレートの周縁を囲む枠体と、前記車両に取り付け可能なバックプレートとを備え、前記枠体及び前記バックプレート間に前記ライセンスプレートが配置され、前記バックプレートには撮像手段を支持したブラケットが設けられており、前記ブラケットには、該ブラケット及び前記ライセンスプレート間に配置され、前記ライセンスプレートの背面に当接する緩衝部材が設けられていることを特徴とするものである。
【００１１】
さらに、請求項２記載の発明では、前記ブラケットは、第１の挟着部半体と、該第１の挟着部半体と対向して配置される第２の挟着部半体とを備え、前記第１の挟着部半体及び前記第２の挟着部半体により前記バックプレートに挟着することを特徴とするものである。
【００１２】
さらに、請求項３記載の発明では、前記ブラケットは、前記撮像手段の配線を固定する固定手段を備えることを特徴とするものである。
【００１３】
【００１４】
さらに、請求項４記載の発明では、前記バックプレートには、前記ライセンスプレートから離れる側に凹んで下縁まで延びた凹部が形成されており、前記ブラケットが前記凹部から挿入されて前記ライセンスプレート及び前記バックプレート間に配置されることを特徴とするものである。
【００１５】
さらに、請求項５記載の発明では、前記撮像手段は前記枠体の下方に配置され、前記ブラケットは前記撮像手段の撮像範囲下方に映り込む突出部を備えることを特徴とするものである。
【発明の効果】
【００１６】
請求項１記載の発明によれば、撮像手段を支持したブラケットをバックプレートに設けたことにより、撮像手段の車両への取付作業の負担を軽減でき、かくして作業者にかかる作業負担を従来よりも軽減し得る。
【００１７】
また、請求項１記載の発明によれば、前記ライセンスプレートの背面に緩衝部材が当接することにより、当該緩衝部材が車体からの振動を吸収し、ブラケットの振動が抑制され、撮像手段からの映像がブレることを防止できる。
【００１８】
さらに、請求項３記載の発明によれば、撮像手段の配線を保持することで、当該配線をコンパクトに収納できる。
【００１９】
さらに、請求項２及び４記載の発明によれば、撮像手段を支持したブラケットのバックプレートへの取り付けが容易になり、作業負担を軽減できる。
【００２０】
さらに、請求項５記載の発明によれば、撮像手段により突出部も撮像することにより、当該突出部が目安となり映像による車両の位置把握が容易に行える。
【発明を実施するための最良の形態】
【００２１】
以下図面に基づいて、本発明の一実施の形態を詳述する。
【００２２】
図１において、１はライセンスプレート用フレームを示し、このライセンスプレート用フレーム１は、車両を識別するためのナンバープレート２を保持して、車両のフロントバンパーの取付面に取り付け可能なフレーム本体３と、撮像手段としてのＣＭＯＳカメラ４を支持したブラケット５とから構成されている。
【００２３】
ライセンスプレート用フレーム１は、ブラケット５がフレーム本体３の下部中央部分に配置され、下縁からＣＭＯＳカメラ４が露出し得る。これによりＣＭＯＳカメラ４は、車両の前方向や前左右方向を撮像し、その映像を車内に設けたモニタ（図示せず）に表示させ得るようになされている。
【００２４】
フレーム本体３は、図２に示すように、ライセンスプレートとしてのナンバープレート２の周縁部を覆うように形成された長方形状の枠体６と、この枠体６に一体成形され、ナンバープレート２の背面に配置されるバックプレート７とから構成され、ブラケット５がバックプレート７の下部中央位置に取外し自在に設けられている。
【００２５】
ブラケット５は、図３及び図４に示すように、ＣＭＯＳカメラ４が収納されるガーニッシュ部材10と、複数のボルト11を備えた第１の挟着部半体12と、この第１の挟着部半体12と対向して配置される第２の挟着部半体13と、当該ボルト11に螺着されるナット14と、第２の挟着部半体13に着脱自在に設けられる固定手段15とによって構成される。
【００２６】
第１の挟着部半体12の一端には、図４に示すように、板状の上板部16が形成され、この上板部16の一面に弾力性のある両面貼着テープ17が貼着されていると共に、他面側に２本のボルト11が突出形成されている。また、第１の挟着部半体12の他端は、上板部16に一体成形されたカメラ固定部18を有し、このカメラ固定部18にＣＭＯＳカメラ４を固定し得るようになされている。
【００２７】
因みに、この実施の形態の場合、第１の挟着部半体12には、上板部16とカメラ固定部18との間に段差部19が形成されている。この段差部19は、上板部16をガーニッシュ部材10の一面側に配置すると共に、カメラ固定部18をガーニッシュ部材10の他面側に配置し、厚みのあるＣＭＯＳカメラ４がナンバープレート２の表面から突出する程度を最小限にし得る。
【００２８】
カメラ固定部18は、貫通孔21を有し、図３に示したように、当該ＣＭＯＳカメラ４の配線22を貫通孔21から他面側に導くことにより、ねじ等（図示せず）によりＣＭＯＳカメラ４の背面を一面に密着させて固定し得るようになされている。
【００２９】
一方、ガーニッシュ部材10は、一端にＣＭＯＳカメラ４の外形に合わせて形成された収納部25を有すると共に、他端に板状の当接板部26を有し、この当接板部26が第１の挟着部半体12及び第２の挟着部半体13間に配置され得る。
【００３０】
収納部25は、図５に示すように、上部及び前部に開口部27a，27bが形成されており、上部の開口部（以下、上部開口部と呼ぶ）27aから第１の挟着部半体12のカメラ固定部18が挿通されてＣＭＯＳカメラ４が収納され、前部の開口部（以下、前部開口部と呼ぶ）27bから当該ＣＭＯＳカメラ４のカメラレンズ4aが外部に露出し得る。
【００３１】
かかる構成に加えて、この収容部25の前部には、前方に張り出した突出部28が設けられ、当該突出部28の先端部分がＣＭＯＳカメラ４の撮像範囲（画角）内に入るようになされている。これにより突出部28は、ＣＭＯＳカメラ４から得られる映像内に先端部分を表示させ、当該映像を視認する運転者に対して当該突出部28を基に距離感を把握させ得るようになされている。
【００３２】
ガーニッシュ部材10は、図４に示すように、第１の挟着部半体12に取り付けられたＣＭＯＳカメラ４が収納部25内に位置決めされると、第１の挟着部半体12における上板部16が当接板部26に対向配置され、当接板部26に穿設した貫通孔30からボルト11が貫通するように構成されている。
【００３３】
一方、第２の挟着部半体13には、上板部31に貫通孔32が穿設されており、ガーニッシュ部材10の当接板部26の貫通孔30から突出させたボルト11が当該貫通孔32に挿通され、図３に示すように、当該ボルト11にナット14が螺着され得る。かくしてガーニッシュ部材10の当接板部26は、第１の挟着部半体12及び第２の挟着部半体13間に挟みこまれる。
【００３４】
ここで、第２の挟着部半体13における上板部31には、段差部33を介して支持板部34が一体成形され、ガーニッシュ部材10及び支持板部34間に隙間を形成している。このガーニッシュ部材10及び支持板部34間の隙間には、支持板部34の貫通孔35から挿着された固定手段15の先端が配置され得るようになされている。
【００３５】
一方、このようなブラケット５が取外し自在に設けられるバックプレート７は、図６に示すように、枠体６の上辺後部及び両側辺後部に一体成形されており、当該枠体６の下辺との間に開口部37を形成している。また、このバックプレート７の上側両側部には、ナンバープレート２をフロントバンパーに取り付けるための取り付けボルトが挿通可能な挿通孔40が穿設されている。
【００３６】
かかる構成に加えて、このバックプレート７の下端には、枠体６及びバックプレート７間に配置されるナンバープレート２から離れるように凹んだ凹部41が所定位置から下縁まで形成されている。ナンバープレート２及びバックプレート７間には、この凹部41によって隙間が形成され、第１の挟着部半体12の上板部16とガーニッシュ部材10の当接板部26とを重ねた状態で、この隙間に挿入し得るようになされている。
【００３７】
また、このバックプレート７の凹部41には、枠体６の下辺との間の開口部37に連通して、先端側が水平に延びたＬ字状の切り欠き部42が形成されている。この切り欠き部42は、第１の挟着部半体12のボルト11が挿通可能に形成され、水平に延びた水平部43にボルト11が位置決めされることによりブラケット５が係止し得る。
【００３８】
なお、水平部43には、下部に僅かな突起43aが形成されており、ボルト11が当該突起43aを乗り越えることにより突起43a及び先端間に位置決めされ得る。かくして、作業者は、ボルト11が突起43aを乗り越えたときの感触により、ボルト11が水平部43に位置決めされたことを認識し得るようになされている。
【００３９】
これによりバックプレート７には、図７に示すように、ブラケット５を構成する第１の挟着部半体12の上板部16が前面に配置され、当該第１の挟着部半体12の上板部16に設けた両面貼着テープ17がナンパープレート２の背面に貼着され得る。
【００４０】
また、このバックプレート７には、切り欠き部42の近傍周辺に複数の貫通孔45が穿設されており、当該貫通孔45にハーネスバンド46又はホルダー付ハーネスバンド47が挿入され、図８に示すように、ハーネスバンド46及びホルダー付ハーネスバンド47によってＣＭＯＳカメラ４の配線22を所定位置で固定し得るようになされている。
【００４１】
実際上、この実施の形態の場合、バックプレート７には、切り欠き部42の左右にそれぞれ一対の貫通孔45が穿設されていると共に、中央にも一対の貫通孔45が穿設されている。これにより、ＣＭＯＳカメラ４の配線22は、第２の挟着部半体13に設けた固定手段15で固定された後、一方にある一対の貫通孔45側に曲げられてＵ字状に折り返され、この状態のままハーネスバンド46により固定され得る。
【００４２】
次いでＣＭＯＳカメラ４の配線22は、中央の貫通孔45間上を通って他方にある一対の貫通孔45側においてＵ字状に折り返され、この状態のままハーネスバンド46により固定され、再び中央の貫通孔45間を通ってＵ字状に折り返され、ホルダー付ハーネスバンド47により固定され得る。また、配線22は、先端に設けたカプラー50が、中央に配置したホルダー付ハーネスバンド47のホルダー部51に連結され位置決めされ得る。
【００４３】
かくして、ＣＭＯＳカメラ４の配線22は、所定経路で引き回された状態でバックプレート７の背面に確実に固定され、先端に設けたカプラー50がホルダー付ハーネスバンド47のホルダー部51により所望の位置に位置決めされ得る。
【００４４】
因みに、この実施の形態の場合、ＣＭＯＳカメラ４の配線22には、ホルダー付ハーネスバンド47により締め付けられる位置に保護カバー52が設けられており、ホルダー付ハーネスバンド47による配線22の損傷を防止し得るようになされている。
【００４５】
次に、フレーム本体３にブラケット５を取り付ける取付方法と、ライセンスプレート用フレーム１の車両への取付方法とについて以下簡単に説明する。
【００４６】
先ず始めに、図９に示すように、バックプレート７の両側部側における一対の貫通孔45にハーネスバンド46をそれぞれ挿通すると共に、中央の一対の貫通孔45にホルダー付ハーネスバンド47を挿通する。
【００４７】
次いで、図１０に示すように、ナンバープレート２の背面の下部中央付近にアルミテープ53（この場合、所定厚みとするため２枚のアルミテープ53）を貼着した後、当該ナンバープレート２をフレーム本体３の開口部37から枠体６及びバックプレート７間に挿入し、枠体６に設けた爪部6aをナンバープレート２の下枠に係止させて固定する。
【００４８】
一方、図１１に示すように、ガーニッシュ部材10にＣＭＯＳカメラ４を配置するには、先ず始めに、図１１中の矢印のように、ガーニッシュ部材10の収納部25の上部開口部27aから収納部25内に、第１の挟着部半体12のカメラ固定部18を挿入し、この状態のままカメラ固定部18の貫通孔21にＣＭＯＳカメラ４の配線22を挿通させ、ねじ18aによって当該ＣＭＯＳカメラ４の背面をカメラ固定部18に固定する。
【００４９】
そして、ＣＭＯＳカメラ４及びカメラ固定部18がガーニッシュ部材10の収納部25に収納されると共に、ガーニッシュ部材10における当接板部26の貫通孔30に、第１の挟着部半体12のボルト11が挿通するように、第１の挟着部半体12をガーニッシュ部材10に位置決めする。
【００５０】
次いで、図１２に示すように、第１の挟着部半体12の両面貼着テープ17の離型紙17aを剥がした後、第１の挟着部半体12の上板部16及びガーニッシュ部材10の当接板部26を、バックプレート７及び枠体６の下辺間の開口部37からバックプレート７の凹部41へ挿入し、ガーニッシュ部材10から突出したボルト11を切り欠き部42に沿って移動させることにより当該ボルト11を水平部43まで導く。
【００５１】
次いで、切り欠き部42から露出したボルト11に対して第２の挟着部半体13の貫通孔32を挿通させ、当該ボルト11の先端にナット14を螺着する。これによりブラケット５は、ナット14によって第１の挟着部半体12及び第２の挟着部半体13が締め付けられることにより凹部41に挟着する。
【００５２】
このようにしてバックプレート７の中央下部に、ＣＭＯＳカメラ４を支持したブラケット５が取り付けられる。このとき、ブラケット５は、図１３に示すように、第１の挟着部半体12に設けた緩衝部材としての両面貼着テープ17がナンバープレート２のアルミテープ53上に圧着され得る。
【００５３】
次いで、図１４に示すように、ＣＭＯＳカメラ４の配線22に予め設けた固定手段15を、第２の挟着部半体13の貫通孔35に挿入してその弾性復元力により係止し、当該配線22を第２の挟着部半体13に固定する。その後、ＣＭＯＳカメラ４の配線22を所定形状に折り曲げてハーネスバンド46及びホルダー付ハーネスバンド47でバックプレート７に固定する。
【００５４】
最後に、配線22の先端のカプラー50をホルダー付ハーネスバンド47のホルダー部51に連結して固定することにより、配線22のカプラー50をバックプレート７に固定する。このようにしてＣＭＯＳカメラ４を支持したブラケット５がフレーム本体３に取り付けられ、ラセンスプレート用フレーム１が形成される。
【００５５】
一方、図１５に示すように、車両のフロントバンパーＦＢに形成されたナンバープレート２の取付面60には、その取付孔61にスプリングナット62が装着される。次いで、図１６に示すように、ナンバープレート２の貫通孔2aと、スプリングナット62とを位置合わせし、ワッシャ付きの取り付けボルト63を当該スプリングナット62に螺着し、フロントバンパーFBにライセンスプレート用フレーム１を装着する。
【００５６】
これにより、ライセンスプレート用フレーム１のＣＭＯＳカメラ４のカプラー50が、フロントバンパーFBの所定位置に配置されて、図１７に示すように、当該フロントバンパーFBの内側にカプラー50を覗かせることができる。かくして、ＣＭＯＳカメラ４のカプラー50と、予めフロントバンパーFBの内部に引き回した車体側カプラー65との結線作業を容易に行え得る。
【００５７】
以上の構成において、ライセンスプレート用フレーム１では、ブラケット５にＣＭＯＳカメラ４を設け、フレーム本体３の枠体６からＣＭＯＳカメラ４を露出させて所望の方向が撮像できるように当該ブラケット５をバックプレート７に設けるようにした。
【００５８】
このようにライセンスプレート用フレーム１では、フレーム本体３自体にＣＭＯＳカメラ４を設けたことで、車種毎にＣＭＯＳカメラ４を取り付けるための専用の取り付けキットが不要となり、その分だけコスト低減を図ることができ、また、フロントグリルや車体自体への加工作業も不要となるため、その分取り付け時間を短縮化できる。
【００５９】
また、ライセンスプレート用フレーム１では、ＣＭＯＳカメラ４を支持したブラケット５をフレーム本体３に取り付けることで、一般的にフロントバンパーFBの中央に予め形成されたナンバープレート用の取付面60にＣＭＯＳカメラ４を配置させることができ、かくして、車種にかかわらず、ＣＭＯＳカメラ４の映像から得られる距離感を同じにすることができる。
【００６０】
さらに、ライセンスプレート用フレーム１では、ＣＭＯＳカメラ４を支持したブラケット５をフレーム本体３に取外し自在に設けたことで、フレーム本体３を車両に取り付けた状態のまま、ブラケット５の取り外し作業や取り付け作業を行うこともできる。
【００６１】
具体的に、このライセンスプレート用フレーム１では、バックプレート７の縁にＬ字状の切り欠き部42を設け、この切り欠き部42に沿ってブラケット５のボルト11を移動させて水平部43に位置決めし、この状態でボルト11に螺着したナット14を締め付けることにより、第１の挟着部半体12及び第２の挟着部半体13により、バックプレート７にブラケット５を挟着保持させることができる。
【００６２】
因みに、ＣＭＯＳカメラ４の取り外し作業は、以上の作業工程と逆の工程を行うことで容易にブラケット５をバックプレート７から取り外すことができる。
【００６３】
従って、このライセンスプレート用フレーム１では、フレーム本体３を車両に取り付けた状態のままでも、ブラケット５によって、ＣＭＯＳカメラ４の取り外し作業や取り付け作業を容易に行うことができる。
【００６４】
また、ライセンスプレート用フレーム１では、ブラケット５をフレーム本体３に取外し自在に設けたことで、ＣＭＯＳカメラ４を使用しない場合でも、ナンバープレート２の保持用としてフレーム本体３自体をそのまま用いることもできるので、汎用性を持たせることができる。
【００６５】
また、この実施の形態の場合、ブラケット５では、弾性力のある両面貼着テープ17がナンバープレート２の背面に当接するようにしたことにより、当該両面貼着テープ17によって車両からの振動を吸収し、ＣＭＯＳカメラ４による映像がブレることを防止できる。
【００６６】
さらに、ブラケット５では、ＣＭＯＳカメラ４の配線22を固定する固定手段15を設けるようにしたことにより、ＣＭＯＳカメラ４の配線22を所望の状態でブラケット５に固定でき、かくして当該配線22をコンパクトに収納できる。
【００６７】
さらに、ライセンスプレート用フレーム１では、ナンバープレート２から離れる側に凹んで下縁まで延びた凹部41がバックプレート７に形成されており、ブラケット５が凹部41から挿入されてナンバープレート２及びバックプレート７間に配置され、ブラケット５をバックプレート７に挟着させるようにしたことで、当該ブラケット５のバックプレート７への取り付けが容易になり、作業負担を軽減できる。
【００６８】
さらに、ブラケット５では、ＣＭＯＳカメラ４の撮像範囲下方に映り込む突出部28が設けられていることから、ＣＭＯＳカメラが突出部28も撮像し、当該突出部28が目安となり映像による車両の位置把握が容易に行える。
【００６９】
因みに、走行中に車両進行方向を変えたときには、フレーム本体３の両側部が車両前方の左右側にある障害物に当たる可能性が高いが、この実施の形態の場合、ＣＭＯＳカメラ４をフレーム本体３の下方に配置したことにより、フレーム本体３の側面側に設ける場合に比べて、車両前方の左右側にある障害物に当たり難くなり、ＣＭＯＳカメラ４の破損を回避できる。
【００７０】
なお、本発明は上記実施の形態に限定されるものではなく、本発明の要旨の範囲内において種々の変形実施が可能であり、緩衝部材としてスポンジ部材を設けてもよく、また、ナンバープレート２ではなく他の種々のライセンスプレートに適用してもよく、さらに、ブラケット５をバックプレート７にねじ止めする等種々の方法で取り付けるようにしてもよい。
【００７１】
また、上述した実施の形態においては、枠体６の上辺後部及び両側辺後部にバックプレート７を一体成形させた場合について述べたが、本発明はこれに限らず、枠体６の下辺後部のみや、両側辺後部のみ等のように枠体６の所定位置にバックプレート７を一体成形させたり、或いは枠体６とバックプレート７とを別体に形成してもよい。
【図面の簡単な説明】
【００７２】
【図１】本発明のライセンスプレート用フレームの全体構成を示す斜視図である。
【図２】本発明のライセンスプレート用フレームの背面の構成を示す斜視図である。
【図３】ブラケットの背面構成を示す斜視図である。
【図４】ブラケットを分解した分解図である。
【図５】ブラケットの正面構成を示す斜視図である。
【図６】バックプレートの構成を示す斜視図である。
【図７】バックプレートにブラケットを取り付けたときの正面構成を示す斜視図である。
【図８】バックプレートにブラケットを取り付けたときの背面構成を示す斜視図である。
【図９】バックプレートにハーネスバンド及びホルダー付ハーネスバンドを取り付けたときの様子を示す斜視図である。
【図１０】バックプレート及び枠体間にナンバープレートを配置するときの様子を示す斜視図である。
【図１１】ブラケットにＣＭＯＳカメラを取り付けるときの様子を示す斜視図である。
【図１２】バックプレートにブラケットを取り付けるときの様子を示す斜視図である。
【図１３】バックプレートにブラケットを取り付けたときの断面構成を示す断面図である。
【図１４】ＣＭＯＳカメラの配線を固定するときの様子を示す斜視図である。
【図１５】フロントバンパーにスプリングナットを取り付けるときの様子を示す斜視図である。
【図１６】フロントバンパーにライセンスプレート用フレームを取り付けるときの様子を示す斜視図である。
【図１７】ＣＭＯＳカメラのカプラーと車体側カプラーとを結線するときの様子を示す斜視図である。
【符号の説明】
【００７３】
１ ライセンスプレート用フレーム
２ ナンバープレート（ライセンスプレート）
３ フレーム本体
４ ＣＭＯＳカメラ（撮像手段）
５ ブラケット
７ バックプレート
15 固定手段
17 両面貼着テープ（緩衝部材）
41 凹部
【図１】
0004445541.tif 000002
【図３】
0004445541.tif 000003
【図４】
0004445541.tif 000004
【図５】
0004445541.tif 000005
【図９】
0004445541.tif 000006
【図１０】
0004445541.tif 000007
【図１１】
0004445541.tif 000008
【図１２】
0004445541.tif 000009
【図１３】
0004445541.tif 000010
【図１４】
0004445541.tif 000011
【図１５】
0004445541.tif 000012
【図１６】
0004445541.tif 000013
【図１７】
0004445541.tif 000014
【図２】
0004445541.tif 000015
【図６】
0004445541.tif 000016
【図７】
0004445541.tif 000017
【図８】
0004445541.tif 000018